(57)【要約】【課題】広帯域無線接続システム（Ｂｒｏａｄｂａｎｄ  Ｗｉｒｅｌｅｓｓ  Ａｃｃｅｓｓ  Ｓｙｓｔｅｍ）で基地局がネットワーク情報を転送する方法を提供する。【解決手段】移動端末から、遊休モード切り替え要請を受信する段階と、前記移動端末に、前記遊休モードへの切り替え許可に関する情報を転送する段階と、移動性エージェント（Ｍｏｂｉｌｉｔｙ  Ａｇｅｎｔ）から、ネットワーク情報を受信する段階と、前記ネットワーク情報を含むページングメッセージを転送する段階と、を含んでなる構成とした。【選択図】図４
2008509625.tif 000002
【特許請求の範囲】
【請求項１】
広帯域無線接続システム（Ｂｒｏａｄｂａｎｄ  Ｗｉｒｅｌｅｓｓ  Ａｃｃｅｓｓ  Ｓｙｓｔｅｍ）で、基地局がネットワーク情報を転送する方法であって、
移動端末から、遊休モード切り替え要請を受信する段階と、
前記移動端末に、前記遊休モードへの切り替え許可に関する情報を転送する段階と、
移動性エージェント（Ｍｏｂｉｌｉｔｙ  Ａｇｅｎｔ）から、ネットワーク情報を受信する段階と、
前記ネットワーク情報を含むページングメッセージを転送する段階と、
を含んでなることを特徴とする、ネットワーク情報転送方法。
【請求項２】
前記ネットワーク情報は、エージェント広告メッセージであることを特徴とする、請求項１に記載のネットワーク情報転送方法。
【請求項３】
前記ネットワーク情報は、ＴＬＶ（Ｔｙｐｅ  Ｌｅｎｇｔｈ  Ｖａｌｕｅ）形態で前記エージェント広告メッセージに含まれることを特徴とする、請求項２に記載のネットワーク情報転送方法。
【請求項４】
前記エージェント広告メッセージは、前記移動端末の位置した領域に相応する特定移動性エージェントに関する情報を含むことを特徴とする、請求項３に記載のネットワーク情報転送方法。
【請求項５】
前記移動性エージェントは、ホームエージェント（ＨＡ：Ｈｏｍｅ  Ａｇｅｎｔ）または外部エージェント（ＦＡ：Ｆｏｒｅｉｇｎ  Ａｇｅｎｔ）であることを特徴とする、請求項４に記載のネットワーク情報転送方法。
【請求項６】
前記遊休モード切り替え要請は、登録解除要請メッセージ（ＤＲＥＧ−ＲＥＱ）を通じて受信することを特徴とする、請求項５に記載のネットワーク情報転送方法。
【請求項７】
前記遊休モード切り替え許可に関する情報は、登録解除命令メッセージ（ＤＲＥＧ−ＣＭＤ）を通じて転送することを特徴とする、請求項６に記載のネットワーク情報転送方法。
【請求項８】
前記登録解除命令メッセージに含まれた動作コード（Ａｃｔｉｏｎ  Ｃｏｄｅ）値は、０ｘ０５であることを特徴とする、請求項７に記載のネットワーク情報転送方法。
【請求項９】
前記登録解除命令メッセージは、ページング周期及びページングオフセットに関する情報を含むことを特徴とする、請求項８に記載のネットワーク情報転送方法。
【請求項１０】
前記移動端末に転送するトラフィックが発生した場合、トラフィック発生情報を含むページングメッセージを転送する段階をさらに含むことを特徴とする、請求項９に記載のネットワーク情報転送方法。
【請求項１１】
前記移動性エージェントは、モバイルＩＰプロトコルに使用されることを特徴とする、請求項１に記載のネットワーク情報転送方法。
【請求項１２】
広帯域無線接続システム（Ｂｒｏａｄｂａｎｄ  Ｗｉｒｅｌｅｓｓ  Ａｃｃｅｓｓ  Ｓｙｓｔｅｍ）で、基地局がネットワーク情報を転送する方法であって、
上位階層から、前記基地局の位置した領域のネットワーク情報を受信する段階と、
前記ネットワーク情報を転送する時点及び連結識別子（ＣＩＤ：Ｃｏｎｎｅｃｔｉｏｎ  Ｉｄｅｎｔｉｆｉｅｒ）に関する情報を含むページングメッセージ（ＭＯＢ＿ＰＡＧ−ＡＤＶ）を前記基地局内の移動端末に転送する段階と、
前記転送時点に、前記連結識別子に相応するチャネルを通じて、前記ネットワーク情報を転送する段階と、
を含んでなることを特徴とする、ネットワーク情報転送方法。
【請求項１３】
前記ネットワーク情報は、前記基地局の位置した領域の移動性エージェント（Ｍｏｂｉｌｉｔｙ  Ａｇｅｎｔ）情報であることを特徴とする、請求項１２に記載のネットワーク情報転送方法。
【請求項１４】
前記ページングメッセージは、放送（Ｂｒｏａｄｃａｓｔ）形態で転送されることを特徴とする、請求項１３に記載のネットワーク情報転送方法。
【請求項１５】
前記ネットワーク情報は、放送（Ｂｒｏａｄｃａｓｔ）またはマルチキャスト（Ｍｕｌｔｉｃａｓｔ）形態で転送されることを特徴とする、請求項１２に記載のネットワーク情報転送方法。
【請求項１６】
広帯域無線接続システムで、移動端末がネットワーク情報を受信する方法であって、
基地局に、遊休モード切り替え要請のための登録解除要請メッセージ（ＤＲＥＧ−ＲＥＱ）を転送する段階と、
前記基地局から、登録解除命令メッセージ（ＤＲＥＧ−ＣＭＤ）を受信する段階と、
前記登録解除命令メッセージに応じて、遊休モードに切り替える段階と、
遊休モードにおいて、前記移動端末の位置した領域のホームエージェント（ＨＡ：Ｈｏｍｅ  Ａｇｅｎｔ）または外部エージェント（ＦＡ：Ｆｏｒｅｉｇｎ  Ａｇｅｎｔ）に関する情報を受信する段階と、
を含んでなることを特徴とする、ネットワーク情報転送方法。
【請求項１７】
前記ホームエージェントまたは外部エージェントに関する情報は、ページングメッセージ（ＭＯＢ＿ＰＡＧ−ＡＤＶ）を通じて受信されることを特徴とする、請求項１６に記載のネットワーク情報転送方法。
【請求項１８】
前記基地局から、前記ホームエージェントまたは外部エージェントに関する情報転送時点及び連結識別子に関する情報を受信する段階をさらに含み、
前記ホームエージェントまたは外部エージェントに関する情報は、前記転送時点に、前記連結識別子に相応するチャネルを通じて転送されることを特徴とする、請求項１６に記載のネットワーク情報転送方法。
【請求項１９】
前記転送時点及び連結識別子に関する情報は、ページングメッセージ（ＭＯＢ＿ＰＡＧ−ＡＤＶ）を通じて受信されることを特徴とする、請求項１８に記載のネットワーク情報転送方法。
【請求項２０】
前記ホームエージェントまたは外部エージェントに関する情報は、エージェント広告メッセージであることを特徴とする、請求項１６に記載のネットワーク情報転送方法。
【発明の詳細な説明】
【技術分野】
【０００１】
本発明は、広帯域無線接続システム（Ｂｒｏａｄｂａｎｄ  Ｗｉｒｅｌｅｓｓ  Ａｃｃｅｓｓ  Ｓｙｓｔｅｍ）に適用されるモバイルＩＰ情報転送方法に関する。より詳細には、基地局がホームエージェントまたは外部エージェントから受信したモバイルＩＰ情報を遊休モードの移動端末に転送する方法を提供する。
【背景技術】
【０００２】
広帯域無線接続システム（Ｂｒｏａｄｂａｎｄ  Ｗｉｒｅｌｅｓｓ  Ａｃｃｅｓｓ  Ｓｙｓｔｅｍ）では、移動端末（ＭＳ：Ｍｏｂｉｌｅ  Ｓｔａｔｉｏｎ）の電力消耗を低減するために、睡眠モード（Ｓｌｅｅｐ  Ｍｏｄｅ）及び遊休モード（Ｉｄｌｅ  Ｍｏｄｅ）を支援する。
【０００３】
睡眠モードにおいて、移動端末は、睡眠区間（Ｓｌｅｅｐ  Ｉｎｔｅｒｖａｌ）と聴取区間（Ｌｉｓｔｅｎｉｎｇ  Ｉｎｔｅｒｖａｌ）を繰り返す。すなわち、移動局は、睡眠区間では基地局との通信を行わず、聴取区間になると、基地局からトラフィック公知メッセージ（ＭＯＢ−ＴＲＦ−ＩＮＤ）を受信し、これを用いて、自分に転送される下りトラフィック（Ｄｏｗｎｌｉｎｋ  Ｔｒａｆｆｉｃ）が存在するか否かを検査する。検査の結果、自分に転送される下りトラフィックがある場合には、睡眠モードを終了し、正常モード（Ｎｏｒｍａｌ  Ｍｏｄｅ）に切り替える。一方、自分に転送される下りトラフィックがない場合には、睡眠区間の間に基地局と通信を行わない。
【０００４】
睡眠モードの移動局は、上記のような睡眠区間及び聴取区間を繰り返すことによって電力消耗を防止（Ｐｏｗｅｒ  Ｓａｖｉｎｇ）できる。
【０００５】
一方、遊休モードにおいて、移動端末は、ページング周期ごとにページングメッセージ（ＭＯＢ＿ＰＡＧ−ＡＤＶ）を受信して、遊休モードの有効性を更新する。すなわち、移動端末は、ページングメッセージを受信するための区間以外には、基地局との通信を行わないため、電力消耗を防止することができる。また、遊休モードの移動端末は、睡眠モードと違い、同一のページング領域内では、ハンドオーバーを行わずにも他の基地局領域に移動することができる。したがって、ハンドオーバーを行うための上りリンク（Ｕｐｌｉｎｋ  Ｉｎｆｏｒｍａｔｉｏｎ）を転送しなくて済むので、電力消耗を防止できる。
【０００６】
一方、モバイル（Ｍｏｂｉｌｅ）ＩＰを用いた連結設定について説明すると、下記の通りである。現在、大部分のインターネット環境で使用されるＩＰは、ＩＰアドレスを用いてあるノード（Ｎｏｄｅ）（ＨｏｓｔまたはＲｏｕｔｅｒ）の接続点を唯一に識別できると仮定する。この場合、任意のノードが自分に転送されてくるデータグラム（Ｄａｔａｇｒａｍ）を受信するためには、自分のＩＰアドレスを含むネットワーク内に位置しなければならない。したがって、任意のノードが自分のＩＰアドレスを含むネットワーク内に位置していないと、データグラムは転送されることができない。あるノードが通信を維持したままその接続点を変更できるようにするには、次の２方法のいずれかを採択しなければならない。第一に、接続点が変わる度にノードが自分のＩＰアドレスを変えるか、第二に、移動したホストのアドレスがインターネット全体に転送されなければならない。
【０００７】
しかしながら、上記２方法のいずれにも問題がある。すなわち、第一の方法によれば、ノードの位置が変更されたとき、転送階層とその上位階層との連結が維持しにくい。一方、第二の方法は、以降移動ノードの数が増加すると仮定したとき、実際に適用しにくい。したがって、インターネットでノードの移動性を支援するためには、さらに拡張的な技術が要求され、このような移動性を支援するための方案が、モバイルＩＰである。
【０００８】
モバイルＩＰにおいて、外部エージェント（Ｆｏｒｅｉｇｎ  Ａｇｅｎｔ：以下、‘ＦＡ’という。）またはホームエージェント（Ｈｏｍｅ  Ａｇｅｎｔ：以下、‘ＨＡ’という。）は、エージェント広告メッセージ（Ａｇｅｎｔ  Ａｄｖｅｒｔｉｓｅｍｅｎｔ  Ｍｅｓｓａｇｅ）を通じて移動端末がどのエージェント領域にあるかを知らせる。しかしながら、従来の技術によれば、遊休モードまたは睡眠モードの移動端末は、下りリンクデータを受信しないので、当該エージェント広告メッセージも受信できなくなる。したがって、一定な時間の間にエージェント広告メッセージを受信できなかった移動端末は、遊休モードまたは睡眠モードを終了し、正常モードに切り替えてＨＡまたはＦＡを探すための上りリンク情報を転送しなければならず、遊休モードまたは睡眠モードの長所を充分に活かせないという問題点があった。
【発明の開示】
【発明が解決しようとする課題】
【０００９】
本発明は上記目的を達成するためのもので、その目的は、広帯域無線接続システムにおいて、基地局がＨＡまたはＦＡから受信したモバイルＩＰ情報を遊休モードの移動端末に効率的に転送できる方法を提供することにある。
【課題を解決するための手段】
【００１０】
上記目的を達成する本発明は、広帯域無線接続システム（Ｂｒｏａｄｂａｎｄ  Ｗｉｒｅｌｅｓｓ  Ａｃｃｅｓｓ  Ｓｙｓｔｅｍ）で、基地局がネットワーク情報を転送する方法であって、移動端末から、遊休モード切り替え要請を受信する段階と、前記移動端末に、前記遊休モードへの切り替え許可に関する情報を転送する段階と、移動性エージェント（Ｍｏｂｉｌｉｔｙ  Ａｇｅｎｔ）から、ネットワーク情報を受信する段階と、前記ネットワーク情報を含むページングメッセージを転送する段階と、を含んでなる。
【００１１】
好ましくは、前記ネットワーク情報は、エージェント広告メッセージであり、前記移動性エージェントは、特定移動端末に対するホームエージェントまたは外部エージェントである。前記ネットワーク情報を含むページングメッセージは、放送またはマルチキャスト形態で遊休モード移動端末に転送される。
【００１２】
また、本発明は、広帯域無線接続システム（Ｂｒｏａｄｂａｎｄ  Ｗｉｒｅｌｅｓｓ  Ａｃｃｅｓｓ  Ｓｙｓｔｅｍ）で、基地局がネットワーク情報を転送する方法であって、上位階層から、前記基地局の位置した領域のネットワーク情報を受信する段階と、前記ネットワーク情報を転送する時点及び連結識別子（ＣＩＤ：Ｃｏｎｎｅｃｔｉｏｎ  Ｉｄｅｎｔｉｆｉｅｒ）に関する情報を含むページングメッセージ（ＭＯＢ＿ＰＡＧ−ＡＤＶ）を前記基地局内の移動端末に転送する段階と、前記転送時点に、前記連結識別子に相応するチャネルを通じて、前記ネットワーク情報を転送する段階と、を含んでなる。
【００１３】
また、本発明は、広帯域無線接続システムで、移動端末がネットワーク情報を受信する方法であって、基地局に、遊休モード切り替え要請のための登録解除要請メッセージ（ＤＲＥＧ−ＲＥＱ）を転送する段階と、前記基地局から、登録解除命令メッセージ（ＤＲＥＧ−ＣＭＤ）を受信する段階と、前記登録解除命令メッセージに応じて、遊休モードに切り替える段階と、遊休モードにおいて、前記移動端末の位置した領域のホームエージェント（ＨＡ：Ｈｏｍｅ  Ａｇｅｎｔ）または外部エージェント（ＦＡ：Ｆｏｒｅｉｇｎ  Ａｇｅｎｔ）に関する情報を受信する段階と、を含んでなる。
【産業上の利用可能性】
【００１４】
本発明は、移動通信システムに適用可能であり、特に広帯域無線接続システムに適用可能である。本発明によれば、遊休モードの移動端末にネットワーク情報を効率的に転送することが可能になる。
【発明を実施するための最良の形態】
【００１５】
図１は、モバイルＩＰを支援するネットワークの一実施例を示す構成図である。図１に示すように、モバイルＩＰを支援するためのネットワークは、ＨＡ１１、ＦＡ１２及び移動ノード１３を備える。
【００１６】
ＨＡ１１とＦＡ１２は、移動ノード１３にデータグラムを転送する役割を担うノードである。移動ノードが相手ノード（Ｃｏｒｒｅｓｐｏｎｄｅｎｔ  Ｎｏｄｅ）１４との通信中に、ホームネットワークから外部ネットワークに移動した場合、これを支援すするための手続きが必要とされる。モバイルＩＰは、次のような過程を通じて動作する。
【００１７】
まず、移動ノード１３は、エージェント発見のための過程を行う。すなわち、移動性エージェント（Ｍｏｂｉｌｉｔｙ  Ａｇｅｎｔ）は、既存のインターネットホストがルータを見つけようとする際に使用する方法（ＩＣＭＰ（Ｉｎｔｅｒｎｅｔ  Ｃｏｎｔｒｏｌ  Ｍｅｓｓａｇｅ  Ｐｒｏｔｏｃｏｌ）ｒｏｕｔｅｒ  ｄｉｓｃｏｖｅｒｙ）と類似な方法であるエージェント広告メッセージ（Ａｇｅｎｔ  Ａｄｖｅｒｔｉｓｅｍｅｎｔ  Ｍｅｓｓａｇｅ）を通じて自分の存在を知らせる。選択的に、移動ノード１３がエージェント獲得メッセージを用いてエージェント広告（Ａｇｅｎｔ  Ａｄｖｅｒｔｉｓｅｍｅｎｔ）メッセージを得ても良い。当該エージェント広告メッセージは、周期的に放送（ｂｒｏａｄｃａｓｔｉｎｇ）され、一定時間の間にエージェント広告メッセージを受信できなかった移動端末は、エージェント要請（Ａｇｅｎｔ  Ｓｏｌｉｃｉｔａｔｉｏｎ）メッセージを転送して隣接のエージェントを探す。
【００１８】
このようなエージェント発見手続きによって、移動ノード１３が外部ネットワークにあると判断されると、移動ノード１３は、ＨＡ１１に登録要請メッセージを転送し、ＨＡから登録応答メッセージを受信する。そして、ＨＡは、当該移動ノードのＣｏＡ（Ｃａｒｅ−ｏｆ−Ａｄｄｒｅｓｓ）を登録する。ＣｏＡは、ＦＡ  ＣｏＡ及び連合位置ＣｏＡ（Ｃｏ−ｌｏｃａｔｅｄ  ＣｏＡ）を含む。該ＦＡ  ＣｏＡは、外部エージェントを移動ノードのＣｏＡとして用いることを意味する。一方、連合位置ＣｏＡは、動的ホスト設定プロトコル（ＤＨＣＰ：Ｄｙｎａｍｉｃ  Ｈｏｓｔ  Ｃｏｎｆｉｇｕｒａｔｉｏｎ  Ｐｒｏｔｏｃｏｌ）によって臨時ＩＰアドレスを移動ノード１３に割り当てることを意味する。
【００１９】
移動した領域で、臨時ＩＰアドレス（ＣｏＡまたはＣｏ−ｌｏｃａｔｅｄ  ＣｏＡ）が割り当てられた移動端末に対するデータは、移動端末が登録されているＨＡに転送される。ＨＡは、受信したデータに移動端末の臨時ＩＰアドレスをつけてＦＡに転送する。
【００２０】
このような過程をトンネリング（ｔｕｎｎｅｌｉｎｇ）という。ＦＡは、移動端末に該当のデータを転送する。移動端末において、他のノードに転送するデータが発生すると、ＦＡにデータを転送し、ＦＡはインターネットルーティングプロトコルを用いてデータを伝達する。
【００２１】
図２は、ページンググループ（Ｐａｇｉｎｇ  Ｇｒｏｕｐ）の一実施例を示す説明図である。図２に示すように、遊休モードを支援する基地局は、ページンググループ（Ｐａｇｉｎｇ  Ｇｒｏｕｐ）を構成する。該ページンググループに属する基地局の領域をページング領域（Ｐａｇｉｎｇ  Ｚｏｎｅ）というが、遊休モード移動端末は、同一のページング領域内で、ハンドオーバー無しに他の基地局領域に移動することができる。同一のページンググループ内の基地局は、同一のページング周期（Ｐａｇｉｎｇ  Ｃｙｃｌｅ）及びページングオフセットを有する。ここで、ページング周期は、ページングメッセージ（ＭＯＢ＿ＰＡＧ−ＡＤＶ）が転送される周期を意味し、ページングオフセットは、ページング周期内で特定移動端末に転送される情報が含まれる時点を意味する。
【００２２】
一方、遊休モードを制御するためのページング制御器が備えられることができる。一つのページング制御器は、少なくとも一つのページンググループ内の遊休モード動作を制御できる。また、該ページング制御器は、特定基地局に備えられても良く、独立して具現されても良い。
【００２３】
図３は、遊休モード動作の一実施例を示す流れ図である。図３に示すように、正常モード（Ｎｏｒｍａｌ  Ｍｏｄｅ）の移動端末は、登録解除要請メッセージ（ＤＲＥＧ＿ＲＥＱ）を通じて基地局に遊休モードへの切り替えを要請できる（Ｓ３０１）。このような登録解除要請メッセージの一例を、表１に示す。
【００２４】
【表１】
2008509625.tif 000003
一方、基地局は、自分の属したページング領域に相応するページング領域識別子（Ｐａｇｉｎｇ−ｇｒｏｕｐ  ＩＤ）、ページング周期及びページングオフセットを含む登録解除命令メッセージ（ＤＲＥＧ−ＣＭＤ）を転送することによって、当該移動端末が遊休モードに切り替えることを許可する（Ｓ３０２）。この登録解除命令メッセージの一例を、表２に示す。
【００２５】
【表２】
2008509625.tif 000004
表３に、登録解除命令メッセージの動作コード（Ａｃｔｉｏｎ  Ｃｏｄｅ）の一例を示す。
【００２６】
【表３】
2008509625.tif 000005
この登録解除命令メッセージの動作コードが遊休モード許可を意味する０ｘ０５と設定されると、次のような情報がＴＬＶ形態でこの登録解除命令メッセージに含まれる。みのような登録解除命令メッセージのＴＬＶエンコーディングの一例を、表４に示す。
【００２７】
【表４】
2008509625.tif 000006
基地局は、同一のページンググループ内に属する基地局あるいはページング制御器が備えられた場合には、ページング制御器にページング知らせ（Ｐａｇｉｎｇ−ａｎｎｏｕｎｃｅ）メッセージを転送する。該ページング知らせメッセージは、遊休モードへ切り替わる移動端末の媒体接続制御（Ｍｅｄｉｕｍ  Ａｃｃｅｓｓ  Ｃｏｎｔｒｏｌ：以下、‘ＭＡＣ’という。）アドレス、ページング周期、ページングオフセットなどを含む。このページング知らせメッセージの一例を、表５に示す。
【００２８】
【表５】
2008509625.tif 000007
遊休モードに切り替わった移動端末は、ページング周期ごとに基地局から放送（Ｂｒｏａｄｃａｓｔｉｎｇ）される（Ｓ３０３，Ｓ３０４）ページングメッセージ（ＭＯＢ＿ＰＡＧ−ＡＤＶ）を通じて、自分に転送される下りトラフィックがあるか、レンジング（Ｒａｎｇｉｎｇ）を行うべきか、または、遊休モードを維持すべきかを判断する。表６に、ページングメッセージの一例を示す。
【００２９】
【表６】
2008509625.tif 000008
移動端末が当該ページングメッセージを介して、下りリンクトラフィック（ｄｏｗｎｌｉｎｋ  ｔｒａｆｆｉｃ）があるという情報を獲得すると、遊休モードを終了し、ネットワークに再登録を行って（Ｓ３０５）、下りリンクトラフィックを受信する（Ｓ３０６）。一方、移動端末が、ページングメッセージを通じてレンジング（Ｒａｎｇｉｎｇ）を行うようとの要請を受けた場合には、レンジングを行い、何の動作もしないようにする情報（Ｎｏ  ａｃｔｉｏｎ）を受信すると、特定の動作無しに遊休モードを維持する。移動端末が転送する上りリンクトラフィックが存在する場合、移動端末に転送する下りリンクトラフィックが存在する場合及び移動端末が他のページング領域（Ｐａｇｉｎｇ  Ｚｏｎｅ）に移動する場合には遊休モードを終了する。基地局は、同一のページンググループに属する基地局に、当該移動端末が遊休モードを終了したという情報を知らせ、これを受信した各基地局は、遊休モード移動端末リストから当該移動端末を削除する。一方、ページング制御器が備えられた場合、当該遊休モード移動端末リストは、ページング制御器（Ｐａｇｉｎｇ  Ｃｏｎｔｒｏｌｌｅｒ）が管理しても良い。図４は、エージェント広告メッセージ（Ａｇｅｎｔ  Ａｄｖｅｒｔｉｓｅｍｅｎｔ）転送方法の一実施例を示す流れ図である。図３を参照すると、ＨＡまたはＦＡは周期的にエージェント広告メッセージを基地局に転送する（Ｓ４０１）。このエージェント広告メッセージの一例を、表７に示す。
【００３０】
【表７】
2008509625.tif 000009
このエージェント広告メッセージは、ＨＡまたはＦＡと１ホップ（ｈｏｐ）で連結された、すなわち、他のノードを介さずに直接連結されたノードにのみ有効である。基地局は、ＨＡまたはＦＡから受信したエージェント広告メッセージを移動端末に転送する（Ｓ４０２）。移動端末が正常モードの場合、基地局は、第２管理連結（ＳＣＭ：Ｓｅｃｏｎｄａｒｙ  Ｍａｎａｇｅｍｅｎｔ  Ｃｏｎｎｅｃｔｉｏｎ）を通じてエージェント広告メッセージを転送する。該第２管理連結は、ＩＰに関わるメッセージを転送するための連結（ｃｏｎｎｅｃｔｉｏｎ）で、初期ネットワーク接続時に移動端末と基地局間に設定される。
【００３１】
移動端末は、遊休モードへの切り替えのために登録解除要請メッセージ（ＤＲＥＧ−ＲＥＱ）を基地局に転送する（Ｓ４０３）。基地局は、登録解除命令メッセージ（ＤＲＥＧ−ＣＭＤ）を通じて移動局が遊休モードに切り替えるのを許可し、ページング周期及びページングオフセットを転送する（Ｓ４０４）。登録解除命令メッセージを転送した基地局は、当該移動端末に対する無線資源（Ｒａｄｉｏ  Ｒｅｓｏｕｒｃｅ）を解除し、当該ページング周期ごとにページングメッセージを転送する（Ｓ４０５，Ｓ４０７）。
【００３２】
一方、基地局は、ＨＡまたはＦＡから周期的にエージェント広告メッセージを受信し（Ｓ３０８）、受信したエージェント広告メッセージを含むページングメッセージ（ＭＯＢ＿ＰＡＧ−ＡＤＶ）領域内の遊休モード移動端末機に転送する（Ｓ４０７）。このエージェント広告メッセージを含むページング広告メッセージの一例を、表８に示す。
【００３３】
【表８】
2008509625.tif 000010
図５は、エージェント広告メッセージ（Ａｇｅｎｔ  ａＡｄｖｅｒｔｉｓｅｍｅｎｔ）転送方法の他の実施例を示す流れ図である。図５を参照すると、ＨＡまたはＦＡは周期的にエージェント広告メッセージを基地局に転送する（Ｓ５０１）。
【００３４】
当該エージェント広告メッセージは、ＨＡまたはＦＡと１ホップで連結された、すなわち、他のノードを介さずに直接連結されたノードにのみ有効である。基地局は、ＨＡまたはＦＡから受信したエージェント広告メッセージを移動端末に転送する（Ｓ５０２）。移動端末が正常モードの場合、基地局は、第２管理連結（ＳＣＭ：Ｓｅｃｏｎｄａｒｙ  Ｍａｎａｇｅｍｅｎｔ  Ｃｏｎｎｅｃｔｉｏｎ）を通じてエージェント広告メッセージを転送する。該第２管理連結は、ＩＰに関わるメッセージを転送するための連結（ｃｏｎｎｅｃｔｉｏｎ）で、初期ネットワーク接続時に移動端末と基地局間に設定される。
【００３５】
移動端末は、遊休モードへの切り替えのために登録解除要請メッセージ（ＤＲＥＧ−ＲＥＱ）を基地局に転送する（Ｓ５０３）。基地局は、登録解除命令メッセージ（ＤＲＥＧ−ＣＭＤ）を通じて移動局が遊休モードに切り替えるのを許可し、ページング周期及びページングオフセットを転送する（Ｓ５０４）。登録解除命令メッセージを転送した基地局は、当該移動端末に対する無線資源（Ｒａｄｉｏ  Ｒｅｓｏｕｒｃｅ）を解除し、当該ページング周期ごとにページングメッセージを転送する（Ｓ５０５，Ｓ５０７）。
【００３６】
一方、基地局は、ＨＡまたはＦＡから周期的にエージェント広告メッセージを受信する（Ｓ４０６）。ＨＡまたはＦＡからエージェント広告メッセージを受信した基地局は、遊休モード移動端末にページングメッセージを転送する（Ｓ５０７）。
【００３７】
ここで、ページングメッセージは、エージェント広告メッセージが転送される時点及びエージェントメッセージであることを表す連結識別子（Ｃｏｎｎｅｃｔｉｏｎ  ＩＤ：以下、‘ＣＩＤ’という。）に関する情報を含む。
【００３８】
該ＣＩＤは、トラフィックチャネル番号に該当するが、当該エージェント広告メッセージをマルチキャスト（Ｍｕｌｔｉｃａｓｔ）で転送する場合には、当該基地局内の遊休モード移動端末のうち、モバイルＩＰを使用している移動端末に対して共通のＣＩＤを使用できる。一方、放送（Ｂｒｏａｄｃａｓｔ）でエージェント広告メッセージを転送する場合には、放送に該当するＣＩＤを用いて転送することができる。上記放送に該当するＣＩＤの一例に‘０ｘｆｆｆｆｆｆｆｆ’がある。
【００３９】
基地局は、ページングメッセージを通じて特定の時間に特定の連結識別子に該当するトラフィックチャネルでエージェント広告メッセージを該当する移動端末に転送する（Ｓ５０８）。
【図面の簡単な説明】
【００４０】
【図１】モバイルＩＰを支援するネットワークの一実施例を示す構成図である。
【図２】ページンググループ（Ｐａｇｉｎｇ  Ｇｒｏｕｐ）の一実施例を示す説明図である。
【図３】遊休モード動作の一実施例を示す流れ図である。
【図４】エージェント広告メッセージ（ＡｇｒｎｔＡｄｖｅｒｔｉｓｅｍｅｎｔ）転送方法の一実施例を示す流れ図である。
【図５】エージェント広告メッセージ転送方法の他の実施例を示す流れ図である。
【図１】
2008509625.tif 000011
【図２】
2008509625.tif 000012
【図３】
2008509625.tif 000013
【図４】
2008509625.tif 000014
【図５】
2008509625.tif 000015
【国際調査報告】
2008509625.tif 000016
2008509625.tif 000017